(57)【要約】【課題】短時間にノイズキャンセルできる高周波受信部を実現する。【解決手段】この目的を達成するために、ノイズ信号源からのノイズ信号をピックアップするピックアップアンテナ１３５と、入力端子１１７とチューナ部１２９との間に挿入されるとともにピックアップアンテナ１３５からのノイズ信号によりテレビ受信用アンテナ１１９からのノイズ信号をノイズキャンセルするノイズキャンセル部１２７と、ＡＧＣ電圧により増幅器１４５への入力信号レベルを判定できる信号レベル判定回路１４９と、復調部１３０に設けられるとともに受信品質を判定する受信品質判定回路１５６を設ける。【選択図】図１
2009302897.tif 000002
【特許請求の範囲】
【請求項１】
ノイズ信号源が内蔵された高周波受信部であって、前記ノイズ信号源からのノイズ信号とテレビ信号からなる高周波信号がテレビ受信用アンテナから供給される入力端子と、この入力端子からの前記高周波信号が供給されるとともにＡＧＣ（自動利得制御）電圧により利得制御される増幅器を内蔵したチューナ部と、このチューナ部からの出力信号が供給されるとともに復調信号を出力する復調部を備え、前記ノイズ信号源からのノイズ信号をピックアップするピックアップアンテナと、前記入力端子と前記チューナ部との間に挿入されるとともに前記ピックアップアンテナからのノイズ信号により前記テレビ受信用アンテナからの前記ノイズ信号をノイズキャンセルするノイズキャンセル部と、前記ＡＧＣ電圧により前記増幅器への入力信号レベルを判定できる信号レベル判定回路と、前記復調部に設けられるとともに受信品質を判定する受信品質判定回路を設け、前記受信品質判定回路により受信品質の劣化を判定する第１のステップと、この第１のステップの後で前記チューナ部を希望チャンネルに近接したテレビ信号の存在しない受信状態とする第２のステップと、この第２のステップの後で前記ノイズキャンセル部から出力されるノイズ信号を予め定められたノイズ信号レベル以下とする第３のステップと、この第３のステップの後で前記チューナ部を選局して前記希望チャンネルのテレビ信号を受信する第４のステップを有する高周波受信部。
【請求項２】
前記ノイズキャンセル部は、前記ピックアップアンテナからの前記ノイズ信号の位相および利得をそれぞれ調整するキャンセル信号生成回路と、前記入力端子からの前記高周波信号が一方の入力に供給されるとともに前記キャンセル信号生成回路から出力されたキャンセル用ノイズ信号が他方の入力に供給される合成回路からなる請求項１に記載の高周波受信部。
【請求項３】
前記ノイズキャンセル部は、複数のキャンセル信号生成回路と、これら複数のキャンセル信号生成回路からそれぞれ出力されるキャンセル用ノイズ信号が入力される合成回路を設け、前記複数のキャンセル信号生成回路の複数の入力には複数のピックアップ用アンテナが接続される請求項１に記載の高周波機器。
【請求項４】
前記チューナ部は、前記入力端子からの前記高周波信号が供給されるとともに第１の利得制御器から出力される第１のＡＧＣ（利得制御）電圧により利得制御される第１の増幅器と、この第１の増幅器からの信号が一方の入力に供給される混合器と、この混合器からの出力信号が供給されるとともに妨害信号を抑圧することができるフィルタと、このフィルタからの出力信号が供給されるとともに第２の利得制御器から出力される第２のＡＧＣ電圧により利得制御される第２の増幅器と、この第２の増幅器からの出力信号が供給される出力端子と、前記混合器の他方の入力に供給される発振器と、この発振器の発振周波数を制御するＰＬＬ回路を設け、前記第２のＡＧＣ電圧を前記信号レベル判定回路に入力する請求項１に記載の高周波受信部。
【請求項５】
前記復調部は、前記第２の増幅器からの信号が供給されるとともにアナログ信号をデジタル信号に変換するＡ／Ｄコンバータと、このＡ／Ｄコンバータの出力信号が供給されるとともに妨害信号を抑圧するフィルタと、このフィルタからの出力信号が供給されるとともにトランスポートストリーム信号を出力する復調器が設けられ、前記フィルタの出力信号が前記第２の利得制御器に入力される請求項４に記載の高周波受信部。
【請求項６】
前記フィルタは、ローパスフィルタを用い、このローパスフィルタのカットオフ周波数は受信信号より低い周波数とする請求項１に記載の高周波受信部。
【請求項７】
請求項１に記載の高周波受信部を複数個並列に接続し、前記複数個の高周波受信部からの復調信号がそれぞれ供給されるとともにダイバシティ制御を行うダイバシティ部が設けられた高周波受信部。
【請求項８】
請求項１に記載の高周波受信部からの出力信号が供給されるデコード部と、このデコード部からの出力信号が一方の入力に供給されるベースバンド信号処理部と、このベースバンド信号処理部に接続されるとともに画像信号を表示する画像表示部と、少なくとも前記高周波受信部および前記画像表示部を制御するとともに前記信号レベル判定回路から出力されるレベル判定信号が入力されるシステム制御部を設け、前記画像表示部、前記ベースバンド信号処理部、前記システム制御部のいずれかのノイズ発生源に近接するとともに前記キャンセル用ノイズ信号を抽出するピックアップアンテナを設けた高周波機器。
【発明の詳細な説明】
【技術分野】
【０００１】
本発明は、携帯電話、携帯式のゲーム機、携帯式のコンピュータ、携帯式の辞書、カーナビゲーション等のように、画像表示部を有し、その画像表示部に対して画像形成部からの信号で画像を表示する高周波受信部とこれを用いた高周波機器に関するものである。
【背景技術】
【０００２】
近年の上記高周波機器は、部品の小型化、半導体素子の集積化がますます進んだことから、非常に軽く、また小型化が進んでいる。このため、高周波機器の機能をますます充実する試みも活発に行われている。
【０００３】
これにより、高周波機器では、携帯電話、携帯式のゲーム機、携帯式のコンピュータ、携帯式の辞書、カーナビゲーション等の機能を有し、さらにテレビ放送を視聴できるようになっている。
【０００４】
なお、この出願の発明に関連する先行技術文献情報としては、例えば、特許文献１が知られている。
【特許文献１】特開２００８−２２２９４号公報
【発明の開示】
【発明が解決しようとする課題】
【０００５】
しかしながら、従来の高周波機器では、この高周波機器に内蔵された画像表示部、システム制御部等からはクロック信号やその高調波信号であるノイズ信号が輻射され、これらがノイズ信号源となってテレビ受信用アンテナに飛び込み、特に弱電界における受信品質が劣化した。
【０００６】
この改善のため、テレビ受信用アンテナに飛び込んだノイズ信号をノイズキャンセル部によりノイズキャンセルの動作を行ってのちに、受信品質判定回路によりＢＥＲ判定し、さらにノイズキャンセルの動作とＢＥＲ判定を何回か繰り返した。
【０００７】
ところが、このＢＥＲ判定には長い時間を必要とし、例えば５秒以上の時間を要する場合が発生した。
【０００８】
そこで、受信品質の判定を瞬時に行う手段を用いることにより、短時間にノイズキャンセルできる高周波受信部を実現することを目的とする。
【課題を解決するための手段】
【０００９】
この目的を達成するために、本発明の高周波受信部は、ノイズ信号源からのノイズ信号をピックアップするピックアップアンテナと、入力端子とチューナ部との間に挿入されるとともに前記ピックアップアンテナからのノイズ信号によりテレビ受信用アンテナからの前記ノイズ信号をノイズキャンセルするノイズキャンセル部と、ＡＧＣ電圧により増幅器への入力信号レベルを判定できる信号レベル判定回路と、復調部に設けられるとともに受信品質を判定する受信品質判定回路を設け、前記受信品質判定回路により受信品質の劣化を判定する第１のステップと、この第１のステップの後で前記チューナ部を希望チャンネルに近接したテレビ信号の存在しない受信状態とする第２のステップと、この第２のステップの後で前記ノイズキャンセル部から出力されるノイズ信号を予め定められたノイズ信号レベル以下とする第３のステップと、この第３のステップの後で前記チューナ部を選局して前記希望チャンネルのテレビ信号を受信する第４のステップを設ける。
【００１０】
これにより所期の目的を達成するものである。
【発明の効果】
【００１１】
以上のように、本発明の高周波受信部では、ノイズ信号源からのノイズ信号をピックアップするピックアップアンテナと、入力端子とチューナ部との間に挿入されるとともに前記ピックアップアンテナからのノイズ信号によりテレビ受信用アンテナからの前記ノイズ信号をノイズキャンセルするノイズキャンセル部と、ＡＧＣ電圧により増幅器への入力信号レベルを判定できる信号レベル判定回路と、復調部に設けられるとともに受信品質を判定する受信品質判定回路を設け、前記受信品質判定回路により受信品質の劣化を判定する第１のステップと、この第１のステップの後で前記チューナ部を希望チャンネルに近接したテレビ信号の存在しない受信状態とする第２のステップと、この第２のステップの後で前記ノイズキャンセル部から出力されるノイズ信号を予め定められたノイズ信号レベル以下とする第３のステップと、この第３のステップの後で前記チューナ部を選局して前記希望チャンネルのテレビ信号を受信する第４のステップを設ける。
【００１２】
このように、チューナ部の利得制御電圧を用いた信号レベル判定回路を用いることにより、ノイズキャンセル部から出力されるノイズ信号レベルの大きさを瞬時に判定することができるので、短時間にノイズキャンセルの動作を完了できる。
【００１３】
従って、ノイズ信号源からのノイズ信号により受信感度が劣化したとしても、短時間に受信品質を改善できる。
【発明を実施するための最良の形態】
【００１４】
（実施の形態１）
以下、本発明の実施の形態１について、図１を用いて説明する。図１は、高周波機器１０１のブロック図である。本発明の実施の形態では一実施例として、高周波信号としてＵＨＦ帯のデジタル放送信号を受信できる高周波機器１０１について説明する。
【００１５】
この高周波機器１０１は、テレビ受信用アンテナ１１９が接続されるアンテナ整合部１２６と、高周波信号を受信する高周波受信部１０３と、携帯電話、携帯式のゲーム機、携帯式のコンピュータ、携帯式の辞書、カーナビゲーション等の機能を有する本体部１０５と、高周波受信部１０３の出力端子１２１が接続されるデコード部１２２と、このデコード部１２２の出力が入力１０７ａに接続されるとともに入力１０７ｂに本体部１０５の出力が接続されているベースバンド信号処理部１０７と、このベースバンド信号処理部１０７からの信号がそれぞれ供給される画像表示部１０９、音声出力部１１１と、ベースバンド信号処理部１０７、高周波受信部１０３、本体部１０５等を制御するシステム制御部１１３から構成されている。
【００１６】
また、ベースバンド信号処理部１０７とシステム制御部１１３とにより画像形成部１１５が構成されている。
【００１７】
このアンテナ整合部１２６は、入力から出力に向かって順に、テレビ受信用アンテナ１１９の入力インピーダンスを整合させる整合器１２４、高周波信号を増幅する高周波増幅器１２５が接続されている。
【００１８】
高周波受信部１０３は、テレビ信号が供給される入力端子１１７と、ＴＳ（トランスポートストリーム）信号が出力される出力端子１２１が設けられている。
【００１９】
この入力端子１１７から出力端子１２１に向かって順に、ノイズキャンセル部１２７、チューナ部１２９、復調部１３０が接続されている。
【００２０】
これらノイズキャンセル部１２７、チューナ部１２９、復調部１３０のそれぞれの構成について、以下順に説明する。
【００２１】
ノイズキャンセル部１２７は、ノイズキャンセル部１２７の入力、出力に対して入力１３１ａ、出力１３１ｂがそれぞれ接続された合成回路１３１と、合成回路１３１の入力１３１ｃに出力が接続されたキャンセル信号生成回路１３３とから構成されている。
【００２２】
このキャンセル信号生成回路１３３の入力には、ピックアップアンテナ１３５により抽出されたピックアップノイズ信号が配線部１３８を介して入力される。
【００２３】
次に、チューナ部１２９には、入力から出力に向かって順に、利得制御入力１３９ａを有する増幅器１３９、この増幅器１３９の出力が一方の入力に接続された混合器１４１、妨害信号を抑圧するフィルタ１４３、利得制御入力１４５ａを有する増幅器１４５が設けられ、混合器１４１の他方の入力にはＰＬＬ回路１４２により制御される発振器１４２ａが接続されている。
【００２４】
また、混合器１４１の出力と利得制御入力１３９ａとの間には、利得制御器１３７が接続されている。なお、利得制御器１３７への入力は、フィルタ１４３以降の出力信号を入力してもよい。
【００２５】
さらに、利得制御器１４７の出力は、増幅器１４５を利得制御するための利得制御入力１４５ａ、および信号レベル判定回路１４９の入力に接続されている。
【００２６】
次に、復調部１３０は、入力から出力に向かって順に、アナログ信号をデジタル信号に変換するＡ／Ｄコンバータ１５１、妨害信号を抑圧するフィルタ１５３、復調信号を出力する復調器１５５が接続されている。
【００２７】
また、復調器１５５から出力されるＢＥＲ、あるいはＣ／Ｎの受信品質信号は受信品質判定回路１５６に入力されている。さらに、フィルタ１５３の出力信号は、利得制御器１４７の入力に接続されている。なお、利得制御器１４７への入力は増幅器１４５の出力信号を入力してもよい。
【００２８】
このように構成された高周波機器１０１の動作について図１を用いて以下説明する。
【００２９】
この高周波機器１０１には、画像表示部１０９、システム制御部１１３が内蔵されている。これら画像表示部１０９、システム制御部１１３等からはクロック信号やその高調波信号であるノイズ信号が輻射され、これらがノイズ信号源となってテレビ受信用アンテナ１１９に飛び込み、特に弱電界における受信品質が劣化した。これを改善する方法について、以下順に説明する。
【００３０】
最初に、本体部１０５、画像形成部１１５、画像表示部１０９、音声出力部１１１の動作について説明する。
【００３１】
本体部１０５は、携帯電話、携帯式のゲーム機、携帯式のコンピュータ、携帯式の辞書、カーナビゲーション等の機能を有している。
【００３２】
また、高周波受信部１０３、本体部１０５、ベースバンド信号処理部１０７、画像表示部１０９、ノイズキャンセル部１２７は、システム制御部１１３により制御されている。
【００３３】
また、ベースバンド信号処理部１０７から出力される映像信号は、画像表示部１０９により画像が表示され、また、ベースバンド信号処理部１０７から出力される音声信号は、音声出力部１１１により音声とされる。
【００３４】
次に、アンテナ整合部１２６、高周波受信部１０３の動作について以下説明する。
【００３５】
このテレビ受信用アンテナ１１９からのテレビ信号とノイズ発生源からのノイズ信号を有する高周波信号がアンテナ整合部１２６に入力される。このアンテナ整合部１２６により、テレビ受信用アンテナ１１９とのインピーダンス整合を図ることができ、たとえテレビ受信用アンテナ１１９を短くした場合においても受信感度を確保することができる。
【００３６】
このアンテナ整合部１２６から出力される高周波信号は、ノイズキャンセル部１２７に入力される。このノイズキャンセル部１２７では、ピックアップアンテナ１３５で抽出されたピックアップノイズ信号を用いてテレビ受信用アンテナ１１９の飛び込んだノイズ信号をノイズキャンセルすることができる。
【００３７】
このノイズキャンセル部１２７からの高周波信号は、チューナ部１２９に入力される。このチューナ部１２９では、利得制御器１３７、１４７により増幅器１３９、１４５がそれぞれ利得制御され、混合器１４１により中間周波信号あるいはベースバンド信号に周波数変換され、フィルタ１４３により妨害信号が抑圧される。
【００３８】
なお、混合器１４１から出力される中間周波数は、例えば４ＭＨｚの低ＩＦ（中間周波数）出力として説明する。従って、フィルタ１４３は、ＬＰＦ（ローパスフィルタ）を用いることにより、不要な高い周波数信号を抑圧することができる。
【００３９】
このチューナ部１２９から出力される中間周波信号あるいはベースバンド信号は復調部１３０に入力され、さらに、復調されたＴＳ信号が出力端子１２１より出力される。
【００４０】
このＴＳ信号はデコード部１２２により復号化される。この復号化された信号はベースバンド信号処理部１０７に入力される。このベースバンド信号処理部１０７からは映像信号と音声信号が出力され、画像表示部１０９、音声出力部１１１により視聴できる。
【００４１】
また、システム制御部１１３により、高周波受信部１０３の受信チャンネルを選択し、さらに復調部１３０、デコード部１２２等をシステム制御することにより、画像表示部１０９、音声出力部１１１により、テレビ信号を視聴できる。
【００４２】
次に、図２（ａ）、（ｂ）を用いて、ノイズキャンセル部１２７から出力されるノイズ信号レベルの大きさを短時間に判定できる信号レベル判定回路１４９について以下説明する。
【００４３】
図２（ａ）は、入力端子１１７における入力信号に対する増幅器１３９の第１のＡＧＣ（自動利得制御）電圧２０１の特性図である。
【００４４】
なお、横軸は入力信号レベル２０２であり、縦軸は電圧２０３である。また、入力信号レベル２０２ａを略０ｄＢｍとし、入力信号レベル２０２ｂを略−５０ｄＢｍとし、入力信号レベル２０２ｃを略−１１５ｄＢｍとしている。
【００４５】
図２（ａ）において、第１のＡＧＣ電圧２０１は、第１のＡＧＣ電圧２０１ａと第１のＡＧＣ電圧２０１ｂとから構成されている。
【００４６】
この第１のＡＧＣ電圧２０１ａは、入力信号レベル２０２ａ（０ｄＢｍ）〜入力信号レベル２０２ｂ（−５０ｄＢｍ）の強電界の受信信号が入力された場合のＡＧＣ電圧であり、混合器１４１の出力レベルを一定レベルに利得制御する。
【００４７】
また、この第１のＡＧＣ電圧２０１ａは、入力信号レベル２０２ａ（０ｄＢｍ）が入力された場合に最小利得となる上限電圧２０３ａを有している。
【００４８】
一方、第１のＡＧＣ電圧２０１ｂは、入力信号レベル２０２ｂ（−５０ｄＢｍ）〜入力信号レベル２０２ｃ（−１００ｄＢｍ）の入力信号レベルに対するＡＧＣ電圧であり、増幅器１３９を最大利得としている。
【００４９】
また、第１のＡＧＣ電圧２０１ｂは、入力信号レベル２０２ｃ（−１００ｄＢｍ）が入力された場合に最大利得となる下限電圧２０３ｂを有している。
【００５０】
図２（ｂ）は、入力端子１１７における入力信号レベルに対する増幅器１４５の第２のＡＧＣ電圧２１１の特性図である。
【００５１】
この第２のＡＧＣ電圧２１１は、利得制御器１４７から出力され、増幅器１４５を利得制御している。この利得制御器１４７の入力には、フィルタ１５３に例えばデジタルフィルタを用いることにより妨害信号を十分に抑圧できるので希望信号のみを入力することができる。この増幅器１４５により、復調器１５５に入力される希望信号を一定レベルに利得制御することができる。
【００５２】
図２（ｂ）において、第２のＡＧＣ電圧２１１は、第２のＡＧＣ電圧２１１ａと第２のＡＧＣ電圧２１１ｂとからなっている。
【００５３】
この第２のＡＧＣ電圧２１１ａは、入力信号レベル２０２ａ（０ｄＢｍ）〜入力信号レベル２０２ｂ（−５０ｄＢｍ）の強電界の受信信号が入力された場合のＡＧＣ電圧であり、この第２のＡＧＣ電圧２１１ａにより増幅器１４５の出力レベルを最小利得としている。この第２のＡＧＣ電圧２１１ａは、入力信号レベル２０２ａ（０ｄＢｍ）が入力された場合に最小利得となる上限電圧２０３ｃを有している。
【００５４】
また、第２のＡＧＣ電圧２１１ｂは、入力信号レベル２０２ｂ（−５０ｄＢｍ）〜入力信号レベル２０２ｃ（−１００ｄＢｍ）の入力信号レベルに対するＡＧＣ電圧である。この場合、増幅器１３９は最大利得となっている。
【００５５】
この第２のＡＧＣ電圧２１１ｂは、入力信号レベル２０２ｄ（−８５ｄＢｍ）より小さい入力信号レベルにおいて下限電圧２０３ｆに到達せず一定の電圧２０３ｄとなっている。これは、ノイズ発生源からのノイズ信号がテレビ受信用アンテナ１１９に飛び込んでいるためである。
【００５６】
また、第２のＡＧＣ電圧２１１ｃは、ノイズ信号源からのノイズ信号をノイズキャンセル部１２７によりノイズキャンセルした場合のＡＧＣ電圧を表している。すなわち、入力信号レベル２０２ｅ（−９３ｄＢｍ）より小さい入力信号レベルにおいて電圧２０３ｅとなっている。
【００５７】
さらに、第２のＡＧＣ電圧２１１ｄは、ノイズ信号源からのノイズ信号が全くない場合のＡＧＣ電圧を表しており、入力信号レベル２０２ｃ（−１００ｄＢｍ）において下限電圧２０３ｆとなる。
【００５８】
これより明らかなように、テレビ受信用アンテナ１１９への飛び込みによるノイズ信号をノイズキャンセル部１２７によりノイズキャンセルすることにより、第２のＡＧＣ電圧２１１ｂを第２のＡＧＣ電圧２１１ｃとし、さらには第２のＡＧＣ電圧２１１ｄとできる。
【００５９】
つまり、電圧２０３ｄは、ノイズ信号が入力信号レベル２０２ｄ（−８５ｄＢｍ）の場合の電圧であり、希望信号レベルは入力信号レベル２０２ｄ（−８５ｄＢｍ）より小さい状態である。
【００６０】
また、下限電圧２０３ｆは、ボルツマン定数に関するＫＴＢ雑音と高周波機器１０１の雑音指数とによるノイズ信号のみが入力された場合の電圧である。
【００６１】
このように、これら電圧２０３ｄ、２０３ｅ、下限電圧２０３ｆは、希望信号がこれらのノイズ信号より小さい状態であって、これらノイズ信号を検出した電圧とできる。
【００６２】
この希望信号がノイズ信号より小さい受信条件とするには、希望チャンネルに近接したテレビ信号の存在しない受信条件とすればよい。この受信条件では希望信号が小さいので、増幅器１３９は最大利得となっている。この受信条件であれば、ノイズキャンセル部１２７から出力されるノイズ信号レベルは、増幅器１４５に入力されるノイズ信号レベルに比例したものとなる。
【００６３】
従って、利得制御器１４７から出力される第２のＡＧＣ電圧２１１ｂを信号レベル判定回路１４９により予め定められた基準電圧と比較し判定することにより、ノイズキャンセル部１２７から出力されるノイズ信号レベルの大きさを判定することができる。
【００６４】
また、この第２のＡＧＣ電圧２１１ｂは、信号レベルを直接検波した電圧であるので、信号レベル判定回路１４９により、ノイズキャンセル部１２７から出力されるノイズ信号レベルの大きさを判定することができる。
【００６５】
つぎに、ノイズ信号をノイズキャンセルするためのノイズキャンセル部１２７の動作について、以下説明する。
【００６６】
このノイズキャンセル部１２７には、ノイズ発生源に近接して配置されたピックアップアンテナ１３５が接続されている。このピックアップアンテナ１３５により抽出されたピックアップノイズ信号は、キャンセル信号生成回路１３３に設けられた位相器、増幅器において位相調整、レベル調整が行われ、キャンセル用ノイズ信号となって合成回路１３１の入力１３１ｃに入力される。
【００６７】
この合成回路１３１において、受信信号とともに入力されたノイズ信号はキャンセル用ノイズ信号によりノイズキャンセルされる。
【００６８】
次に、ノイズキャンセル部１２７と信号レベル判定回路１４９を用いて、短時間にノイズキャンセルを行い、受信品質を改善する方法について、図３、図４（ａ）〜（ｅ）を用いて以下説明する。
【００６９】
図３は、ノイズキャンセルの動作を表すフローチャートである。ステップ２３１では、チューナ部１２９のＰＬＬ回路１４２により発振器１４２ａの発振周波数を制御し、希望チャンネルを選局する。
【００７０】
このステップ２３１の後で、ステップ２３３に進む。このステップ２３３では、受信品質判定回路１５６によりＢＥＲ、あるいはＣ／Ｎの判定を行い、予め定められた基準値Ａより良い判定結果（ＯＫ）、この基準値Ａより悪い判定結果（ＮＧ１）、さらに基準値Ｂより悪い判定結果（ＮＧ２）に応じてステップ２３３、ステップ２３４、ステップ２３５にそれぞれ進む。なお、この基準値Ｂは基準値Ａより悪い条件としている。
【００７１】
図４（ａ）では、予め定められた基準値Ａより良い判定結果（ＯＫ）における増幅器１４５への入力信号を表しており、ノイズ信号源からのノイズ信号が存在しない場合を表している。
【００７２】
図４（ａ）において、横軸は周波数２５２であり、縦軸は信号レベル２５３である。また、受信信号２５５は、５．６ＭＨｚの帯域幅２５９を有し、４ＭＨｚの中心周波数２６０を有している。また、ノイズ信号２５７は、ボルツマン定数の関係する熱雑音電力と高周波機器１０１の雑音指数ＮＦを加算したものである。この場合には、さらにステップ２３３に戻ってＢＥＲ判定を行う。
【００７３】
次に、図４（ｂ）では、基準値Ａより悪い判定結果（ＮＧ１）における増幅器１４５への入力信号であり、ノイズ信号源からのノイズ信号２６２により受信信号２５５のＣ／Ｎが劣化している。この場合には、ステップ２３４に進み、ノイズキャンセル部１２７によりノイズキャンセルを行う。さらに、このステップ２３４のあとで、ステップ２３３に進みＢＥＲを判定する。
【００７４】
さらに次に、ステップ２３３において、基準値Ｂより悪い判定結果（ＮＧ２）となった場合には、ステップ２３５に進む。このステップ２３５では、希望チャンネルに近接した受信周波数に微調し、かつデジタル信号あるいはアナログ信号等の存在しない受信周波数に選局する。
【００７５】
図４（ｃ）は、このステップ２３５におけるチューナ部１２９の増幅器１４５への入力信号を表しており、発振器１４２ａを微調することにより、受信信号２５５を帯域幅２５９に近接するとともにこの帯域外に移動させ、さらにフィルタ１４３にＬＰＦを用いることにより、ノイズ信号２６５より十分に小さい信号レベルとなる。
【００７６】
なお、フィルタ１４３にＬＰＦを用い、このＬＰＦのカットオフ周波数は受信信号２５９より低い周波数とする。これにより、信号レベル判定回路１４９の判定時に不要となる受信信号２５５あるいは、これ以外の妨害信号を排除することができるので、より精度良く判定することができる。
【００７７】
さらに、ノイズ信号２６５は、ノイズ信号２６２とほぼ同じレベルとしている。このステップ２３５の後で、ステップ２３７に進む。
【００７８】
このステップ２３７では、ノイズキャンセル部１２７においてノイズキャンセルを行うことにより、図４（ｃ）のノイズ信号２６５を図４（ｄ）のノイズ信号２６５ａと小さくできる。その後ステップ２３９に進む。
【００７９】
このステップ２３９では、信号レベル判定回路１４９により、利得制御器１４７から出力される第２のＡＧＣ電圧２１１ｂを予め定められた基準電圧Ｃと比較し判定する。
【００８０】
これにより、増幅器１４５に入力されるノイズ信号２６５ａの大きさを判定することができる。ここで、増幅器１３９の利得は最大利得となっているので、ノイズキャンセル部１２７から出力されるノイズ信号レベルの大きさを判定することになる。
【００８１】
この判定結果として、ノイズ信号２６５ａが、基準電圧Ｃより小さい判定結果（ＯＫ）、基準電圧Ｃより大きい判定結果（ＮＧ）に応じてステップ２３１、ステップ２３７にそれぞれ進む。
【００８２】
図４（ｅ）は、ノイズ信号２６５ｂが、基準電圧Ｃより小さい判定結果（ＯＫ）におけるステップ２３１における増幅器１４５への入力信号である。すなわち、希望の受信信号２５５に対してノイズ信号２６５ｂをノイズキャンセルして抑圧することにより、受信信号のＣ／Ｎを改善している。さらに、ステップ２３３に進んでＢＥＲの判定を行う。
【００８３】
一方、ノイズ信号２６５ｂが、基準電圧Ｃより大きい判定結果（ＮＧ）の場合には、ステップ２３７、ステップ２３９の動作を繰り返し、ノイズキャンセル部１２７においてノイズキャンセルを続ける。
【００８４】
この動作を繰り返すことにより、ノイズ信号２６２を、ノイズキャンセル後にノイズ信号２６５ｂと小さくできるので、受信信号のＣ／Ｎを改善できる。
【００８５】
以上のように、ノイズ発生源からのノイズ信号がテレビ受信用アンテナ１１９に飛び込むことにより弱電界での受信感度が劣化したとしても、信号レベル判定回路１４９を用いて第２のＡＧＣ電圧を予め定められた基準電圧Ｃと比較し判定することにより、ノイズキャンセル部３０７から出力されるノイズ信号レベルの大きさを瞬時に判定することができる。
【００８６】
これにより、短時間にノイズキャンセルの動作を完了できるので、ノイズ信号源からのノイズ信号により受信感度が劣化したとしても、短時間に受信品質を改善できる。
【００８７】
なお、テレビ信号としてデジタル信号を用いた場合について説明したが、１セグメント信号の受信あるいはアナログ信号の受信においても同様である。
【００８８】
また、混合器１４１は、イメージリジェクションミキサ、あるいはダイレクトコンバージョンミキサを用いても同様にノイズキャンセルの動作が可能である。
【００８９】
（実施の形態２）
以下、本発明の実施の形態２について、図５を用いて説明する。図５は、本発明の高周波機器３０１のブロック図である。
【００９０】
実施の形態１の高周波受信部１０３にノイズキャンセル部１２７を用いているのに対して、本発明の実施例における高周波受信部３０３では、合成回路３０９、キャンセル信号生成回路１３３および３０５の内蔵されたノイズキャンセル部３０７を用いている点が異なる。
【００９１】
なお、図５で使用した部品について、図１と同じものについては同一の番号を付して説明を簡略化している。
【００９２】
図５において、アンテナ整合部１２６の出力は合成回路３０９の入力３０９ａに接続され、この合成回路３０９の出力３０９ｂはチューナ部１２９の入力に接続されている。
【００９３】
また、合成回路３０９の入力３０９ｃ、３０９ｄには、キャンセル信号生成回路１３３、３０５からのキャンセル用ノイズ信号がそれぞれ入力され、これらキャンセル信号生成回路１３３、３０５の入力には、ピックアップアンテナ１３５、３１１が配線部１３８、３１３をそれぞれ介して接続されている。
【００９４】
これらピックアップアンテナ１３５、３１１は、例えば、画像形成部１１５、画像表示部１０９のノイズ発生源に近接してそれぞれ設けられている。
【００９５】
これにより、画像形成部１１５のノイズ信号はピックアップアンテナ１３５により抽出され、この抽出されたピックアップノイズ信号はキャンセル信号生成回路１３３に入力される。
【００９６】
また、画像表示部１０９のノイズ信号はピックアップアンテナ３１１により抽出され、この抽出されたピックアップノイズ信号はキャンセル信号生成回路３０５に入力される。
【００９７】
このキャンセル信号生成回路１３３、３０５から出力されたそれぞれのキャンセル用ノイズ信号は、入力３０９ｃ、３０９ｄを介して合成回路３０９に入力される。
【００９８】
一方、合成回路３０９の入力３０９ａには、画像形成部１１５、画像表示部１０９のノイズ信号源から輻射されたノイズ信号がテレビ受信用アンテナ１１９に飛び込んでそれぞれ入力されている。
【００９９】
これにより、合成回路３０９においてそれぞれのノイズ信号は、それぞれのキャンセル用ノイズ信号によりノイズキャンセルされる。
【０１００】
以上のように、複数のノイズ発生源からのそれぞれのノイズ信号がテレビ受信用アンテナ１１９に飛び込むことにより弱電界での受信感度が劣化したとしても、チューナ部１２９の第２のＡＧＣ電圧を用いて信号レベル判定回路１４９により、ノイズキャンセル部３０７から出力されるノイズ信号レベルの大きさを瞬時に判定することができる。
【０１０１】
これにより、短時間にノイズキャンセルの動作を完了できるので、ノイズ信号源からのノイズ信号により受信感度が劣化したとしても、短時間に受信品質を改善できる。
【０１０２】
（実施の形態３）
以下、本発明の実施の形態３について、図６を用いて説明する。図６は、本発明の高周波機器４０１の各ブロック図である。
【０１０３】
実施の形態２の高周波受信部３０３に対して、本発明の実施例における高周波受信部４０３では、テレビ受信用アンテナ１１９、４１９と、アンテナ整合部１２６、４２６と、ノイズキャンセル部３０７、４０７と、チューナ部１２９、４２９と、復調部１３０、４３０と、ダイバシティ４３２を設け、ダイバシティ受信可能としている点が異なる。
【０１０４】
なお、図６で使用した部品について、図１と同じものについては同一の番号を付して説明を簡略化している。
【０１０５】
図６において、高周波受信部４０３のノイズキャンセル部４０７は、アンテナ整合部４２６の出力が入力４３５ａに接続されるとともに出力４３５ｂにチューナ部４２９の入力が接続される合成回路４３５と、合成回路４３５の入力４３５ｃに接続されるキャンセル信号生成回路４３７と、合成回路４３５の入力４３５ｄに接続されるキャンセル信号生成回路４３９から構成されている。
【０１０６】
また、キャンセル信号生成回路４３７、１３３の入力にはピックアップアンテナ１３５が配線部１３８を介してそれぞれに接続され、キャンセル信号生成回路４３９および３０５の入力にはピックアップアンテナ３１１が配線部３１３を介してそれぞれ接続されている。
【０１０７】
さらに、システム制御部１１３の入力１１３ａ、１１３ｂには、チューナ部１２９に内蔵された信号レベル判定回路１４９（図示せず）、チューナ部４２９に内蔵された信号レベル判定回路４２９ａ（図示せず）のいずれか一方あるいは両方の出力が入力されている。
【０１０８】
また、システム制御部１１３により、高周波受信部４０３のシングル受信とダイバシティ受信の選択あるいはノイズキャンセル部３０７、４０７を制御する。
【０１０９】
これにより、画像形成部１１５からのノイズ信号は、ピックアップアンテナ１３５によりキャンセル信号生成回路１３３および４３７に入力され、ピックアップアンテナ３１１により抽出されたピックアップノイズ信号はキャンセル信号生成回路３０５、４３９に入力される。
【０１１０】
このキャンセル信号生成回路１３３、３０５からそれぞれ出力されるキャンセル用ノイズ信号が入力される合成回路３０９により、テレビ受信用アンテナ１１９に飛び込んだそれぞれのノイズ信号をノイズキャンセルすることができる。
【０１１１】
同様に、キャンセル信号生成回路４３７、４３９からのキャンセル用ノイズ信号が入力される合成回路４３５により、テレビ受信用アンテナ４１９に飛び込んだそれぞれのノイズ信号をノイズキャンセルすることができる。
【０１１２】
このようにして、２つのピックアップアンテナ１３５、３１１により画像形成部１１５、画像表示部１０９から抽出されたそれぞれのピックアップノイズ信号は、２つのノイズキャンセル部３０７、４０７に入力される。
【０１１３】
この２つのノイズキャンセル部３０７、４０７によりテレビ受信用アンテナ１１９、４１９に飛び込んだ２つのノイズ信号はそれぞれノイズキャンセルされる。
【０１１４】
つまり、複数のノイズ信号が存在する場合であっても、複数のピックアップアンテナ１３５、３１１と複数のノイズキャンセル部３０７、４０７を設けることにより、複数のテレビ受信用アンテナ１１９、４１９に飛び込んだノイズ信号をそれぞれキャンセルできる。
【０１１５】
これらノイズ信号のノイズキャンセルされたそれぞれの受信信号は、チューナ部１２９と復調部１３０、チューナ部４２９と復調部４３０をそれぞれ介してダイバシティ４３２に入力される。このダイバシティ４３２は、入力された２つの復調信号の選択あるいは合成が行われ、シングル受信とダイバシティ受信が選択される。
【０１１６】
以上のように、複数のノイズ発生源からそれぞれ輻射されるノイズ信号が複数のテレビ受信用アンテナ１１９、４１９にそれぞれ飛び込むことにより弱電界での受信感度が劣化したとしても、チューナ部１２９あるいはチューナ部４２９に設けられた信号レベル判定回路１４９により、ノイズキャンセル部３０７から出力されるノイズ信号レベルの大きさを瞬時に判定することができる。
【０１１７】
これにより、短時間にノイズキャンセルの動作を完了できるので、ノイズ信号源からのノイズ信号により受信感度が劣化したとしても、短時間に受信品質を改善できる。
【産業上の利用可能性】
【０１１８】
以上の如く本発明は、テレビ信号の受信可能な携帯電話、携帯式のゲーム機、携帯式のコンピュータ、携帯式の辞書、カーナビゲーション等に用いることができる。
【図面の簡単な説明】
【０１１９】
【図１】本発明の実施の形態１における高周波機器のブロック図
【図２】（ａ）同、入力信号レベルに対する第１のＡＧＣ電圧の特性図、（ｂ）同、入力信号レベルに対する第２のＡＧＣ電圧の特性図
【図３】同、高周波受信部におけるノイズキャンセル動作のフローチャート
【図４】（ａ）同、増幅器１４５への入力信号を示す図、（ｂ）同、ノイズ信号による増幅器１４５への入力信号を示す図、（ｃ）同、微調時に、増幅器１４５への入力信号を示す図、（ｄ）同、微調時に、ノイズキャンセル時の増幅器１４５への入力信号を示す図、（ｅ）同、受信時に、ノイズキャンセル時の増幅器１４５への入力信号を示す図
【図５】本発明の実施の形態２における高周波機器３０１のブロック図
【図６】本発明の実施の形態３における高周波機器４０１のブロック図
【符号の説明】
【０１２０】
１０３  高周波受信部
１１７  入力端子
１１９  テレビ受信用アンテナ
１２７  ノイズキャンセル部
１２９  チューナ部
１３０  復調部
１３５  ピックアップアンテナ
１４５  増幅器
１４９  信号レベル判定回路
１５６  受信品質判定回路
【図１】
2009302897.tif 000003
【図２】
2009302897.tif 000004
【図３】
2009302897.tif 000005
【図４】
2009302897.tif 000006
【図５】
2009302897.tif 000007
【図６】
2009302897.tif 000008